(57)【要約】      （修正有）【課題】オリジナルのコンテンツを自由に発表することができ、発表されたコンテンツを適正に利用することができるコンテンツの投稿および閲覧システムを提供する。【解決手段】コンテンツの投稿者およびコンテンツの閲覧者に対して個人認証情報を要求する個人認証部２４と、投稿されたコンテンツに時刻認証情報を付与する時刻認証取得部２２と、時刻認証情報と個人認証情報が付与されたコンテンツの著作権管理レベルを管理する公開分類情報管理部３２と、公開可能に設定されたコンテンツを閲覧もしくは利用が可能な状態で提供するコンテンツ表示部３４と、コンテンツの閲覧もしくは利用の対価として課金処理を行う課金・ポイント管理部３８を備える。【選択図】図２
2016118980.tif 000002
【特許請求の範囲】
【請求項１】
コンテンツの投稿者に対して個人認証情報を要求する手段と、
投稿されたコンテンツに時刻認証情報と個人認証情報を付与する手段と、
時刻認証情報と個人認証情報が付与されたコンテンツの著作権管理レベルを管理する手段と、
公開可能に設定されたコンテンツを閲覧もしくは利用が可能な状態で提供する手段と、
コンテンツの閲覧者に対して個人認証情報を要求する手段と、
コンテンツの閲覧もしくは利用の対価として課金処理を行う手段を備える、
コンテンツの投稿および閲覧システム。
【請求項２】
前記著作権管理レベルが、コンテンツの自由利用可能もしくは利用許諾可能、閲覧のみ可能、非公開の４つレベルから設定が可能であることを特徴とする、
請求項１に記載のコンテンツの投稿および閲覧システム。
【請求項３】
コンテンツの投稿者に対して閲覧回数に応じたポイントの付与処理を行う手段をさらに備える、
請求項１または２に記載のコンテンツの投稿および閲覧システム。
【請求項４】
コンテンツの利用を希望する閲覧者に対してコンテンツの著作権の利用許諾に関する契約書を発行する手段をさらに備える、
請求項１乃至３の何れかに記載のコンテンツの投稿および閲覧システム。
【発明の詳細な説明】
【技術分野】
【０００１】
本発明は、自作のコンテンツを発表する場を提供するとともにコンテンツの適正な利用を促進するためのシステムに関する。
【背景技術】
【０００２】
現在、我が国では本格的なインターネット社会が到来し、パソコンやスマートフォン、タブレット、携帯電話などの電子端末はインターネット回線と常時接続していることが当然の状態となっている。音楽、映像、ニュースといった様々なコンテンツをいつでも好きなときに享受することができる。さらには、ＳＮＳやブログ、掲示板等を通じて、自分の意見やオリジナルのコンテンツを世の中に公開することも簡単にできるようになった。すなわち、これまで情報の受け手としてのみの存在であった一般大衆が同時に情報の発信者となり得る世界が実現している。
【０００３】
インターネット上での情報の取り扱いについては著作権の存在を考慮しなければならない。著作権の世界では、オリジナルのコンテンツすなわち著作物を創作した者が著作者として著作権を有することになっており、創作者以外の者がコンテンツを利用しようとする場合には創作者の許諾を受けなければならない。しかしながら現状では、インターネット上のコンテンツは野放し状態であり、コンテンツの複製や転用、改変などが当たり前のように行われている。またデジタルの世界では全く同じものを複製することができるため、オリジナルを判別することはほとんど不可能である。著名なアーティストや作家が手掛けたコンテンツであれば、著作権の問題は適切に処理されていることも多いが、その他大勢の一般人が発表するコンテンツに関しては著作権に対してほとんど注意が払われていないのが現状である。そのため、インターネット上で公開されているコンテンツの多くは、いつ誰が創作したのか判別できない状態であり、オリジナルの創作者であってもそのことを証明するのは非常に困難である。このことはコンテンツを適正に利用したいと考えている者にとっても問題である。例えば、インターネット上で見かけたコンテンツに興味を持った場合であっても、オリジナルの創作者を探し出すことが困難である以上、著作権者利用許諾契約を交わすことができない（特許文献１および２参照）。
【先行技術文献】
【特許文献】
【０００４】
【特許文献１】特開２００８−３１０６５４号公報
【特許文献２】特開２０１３−７０２９３号公報
【発明の概要】
【発明が解決しようとする課題】
【０００５】
そこで、創作者はオリジナルのコンテンツを自由に発表することができ、利用者は適正にコンテンツを利用することができるような場をインターネット上に提供することができれば、創作者と利用者の双方のインセンティブが高まり、魅力的なコンテンツの創作と利用が促進され、究極的には文化の発展と産業の発達に寄与することが可能になる。
【課題を解決するための手段】
【０００６】
前述の課題を解決するための手段として、本発明の第１の態様は、コンテンツの投稿者に対して個人認証情報を要求する手段と、投稿されたコンテンツに時刻認証情報と個人認証情報を付与する手段と、時刻認証情報と個人認証情報が付与されたコンテンツの著作権管理レベルを管理する手段と、公開可能に設定されたコンテンツを閲覧もしくは利用が可能な状態で提供する手段と、コンテンツの閲覧者に対して個人認証情報を要求する手段と、コンテンツの閲覧もしくは利用の対価として課金処理を行う手段を備える、コンテンツの投稿および閲覧システムである。
【０００７】
このコンテンツの投稿および閲覧システムは、コンテンツに個人認証情報を付与するとともに時刻認証情報であるタイムスタンプを付与することにより、コンテンツの創作者と公表時を特定することができるように構成されている。創作者と公表時が特定されることで、当該コンテンツの著作権の所在を推定することができるため、閲覧者は所定の法的手続に則って著作権の利用許諾を受けることができる。また、投稿したコンテンツに利用者が現れなかった場合でも、投稿者にはタイムスタンプによるオリジナリティの証明が与えられるため、精神的な満足感を得ることができる。
【０００８】
本発明の第２の態様は、コンテンツの投稿者に対して個人認証情報を要求する手段と、投稿されたコンテンツに時刻認証情報と個人認証情報を付与する手段と、時刻認証情報と個人認証情報が付与されたコンテンツの著作権管理レベルを設定する手段と、公開可能に設定されたコンテンツを閲覧もしくは利用が可能な状態で提供する手段と、コンテンツの閲覧者に対して個人認証情報を要求する手段と、コンテンツの閲覧もしくは利用の対価として課金処理を行う手段を備え、前記著作権管理レベルが、コンテンツの自由利用可能もしくは利用許諾可能、閲覧のみ可能、非公開の４つレベルから設定が可能であることを特徴とするコンテンツの投稿および閲覧システムである。
【０００９】
このコンテンツの投稿および閲覧システムは、コンテンツの著作権管理レベルを予め用意した４パターンの中から投稿者の希望に応じて任意に設定することができるので、著作権に詳しくない投稿者であっても設定が容易である。また非公開を用意しておくことで、公開は希望しないがタイムスタンプは希望するといった要望や、投稿後に公開を希望しなくなった場合への対応が可能である。
【００１０】
本発明の第３の態様は、コンテンツの投稿者に対して個人認証情報を要求する手段と、投稿されたコンテンツに時刻認証情報と個人認証情報を付与する手段と、時刻認証情報と個人認証情報が付与されたコンテンツの著作権管理レベルを設定する手段と、公開可能に設定されたコンテンツを閲覧もしくは利用が可能な状態で提供する手段と、コンテンツの閲覧者に対して個人認証情報を要求する手段と、コンテンツの閲覧もしくは利用の対価として課金処理を行う手段を備え、コンテンツの投稿者に対して閲覧回数に応じたポイントの付与処理を行う手段をさらに備えることを特徴とするコンテンツの投稿および閲覧システムである。
【００１１】
このコンテンツの投稿および閲覧システムは、投稿者に閲覧回数に応じたポイントを付与することにより、例えばポイント数に応じて商品やサービスとの交換を可能にしたり、もしくは換金を可能にしたりすることで、投稿へのインセンティブとなる。
【００１２】
本発明の第４の態様は、コンテンツの投稿者に対して個人認証情報を要求する手段と、投稿されたコンテンツに時刻認証情報と個人認証情報を付与する手段と、時刻認証情報と個人認証情報が付与されたコンテンツの著作権管理レベルを設定する手段と、公開可能に設定されたコンテンツを閲覧もしくは利用が可能な状態で提供する手段と、コンテンツの閲覧者に対して個人認証情報を要求する手段と、コンテンツの閲覧もしくは利用の対価として課金処理を行う手段を備え、コンテンツの利用を希望する閲覧者に対してコンテンツの著作権の利用許諾に関する契約書を発行する手段をさらに備えることを特徴とするコンテンツの投稿および閲覧システムである。
【００１３】
このコンテンツの投稿および閲覧システムは、コンテンツの著作権の利用許諾に関する契約書を予め用意しておくことで、円滑な契約を締結することができるとともにコンテンツの利用を促進することができる。
【発明の効果】
【００１４】
本発明においては、コンテンツの創作者と公表時を認証することにより、当該コンテンツの著作権の所在を推定することができるため、創作者は創作したコンテンツを安心して公開することができるようになり、利用者は所定の法的手続に則って著作権の利用許諾を受けることができるようになる。これにより、創作者にはコンテンツを最初に創作した者という客観的な証明が与えられ、精神的な満足感が得られるとともに利用許諾による適正な利益を得る機会が与えられる。また、利用者には優れたコンテンツを著作権の問題に悩まされることなく安心して利用する機会が与えられる。このように創作者の利益と利用者の利益の双方の均衡を図ることにより、優れたコンテンツの保護および利用の環境を整え、世の中のコンテンツの豊富化の実現に資することができる。
【図面の簡単な説明】
【００１５】
【図１】コンテンツの投稿および閲覧システムの概要を示すイメージ図
【図２】コンテンツの投稿および閲覧システムの機能ブロック図
【図３】コンテンツ投稿時のシステム処理を示すフローチャート
【図４】コンテンツ閲覧時のシステム処理を示すフローチャート
【図５】投稿者端末のブラウザ画面の例を示す模式図
【図６】投稿者端末のブラウザ画面の例を示す模式図
【図７】閲覧者端末のブラウザ画面の例を示す模式図
【発明を実施するための形態】
【００１６】
以下、本発明の実施の形態について図面を参照して説明する。
【００１７】
〔システムの概要〕
最初に、コンテンツの投稿および閲覧システムの概要について、図１を参照して説明する。図１はコンテンツの投稿および閲覧システムの運用を示すイメージ図である。コンテンツの投稿および閲覧システム１０（以下、本システム１０という。）は、投稿者端末（投稿者ＰＣ）１２、サーバ１４、時刻認証局１６、閲覧者端末（閲覧者ＰＣ）１８で構成されるネットワークシステムの中核をなすシステムである。投稿者は自身が創作したコンテンツを端末１２からインターネット回線を通じてサーバ１４に送信する（コンテンツの投稿）。コンテンツには時刻認証局１６で取得した時刻認証情報（タイムスタンプ）が付与される（タイムスタンプの付与）。投稿者に対してはコンテンツの投稿に応じた料金が課せられる（課金）。タイムスタンプ付与後のコンテンツは、利用者が設定する分類に応じて閲覧者端末１８から閲覧することができる（コンテンツの閲覧）。投稿されたコンテンツは、投稿者の設定により自由利用可能、利用許諾可能、閲覧のみ可能（利用不可）、非公開等の分類がなされており、閲覧者は閲覧したコンテンツを選択的に利用することができる（コンテンツの利用）。閲覧者に対してはコンテンツの閲覧および利用に応じた料金が課せられる（課金）。また閲覧者がコンテンツの利用を希望する場合には著作権利用許諾契約書を発行する（契約書の発行）。
【００１８】
〔システムの構成〕
次に、コンテンツの投稿および閲覧システムの構成について、図２を参照して説明する。サーバ１４は、投稿者端末１２および時刻認証局１６、閲覧者端末１８とインターネット回線を通じて接続されてる。なお実際のシステムでは、投稿者端末１２および閲覧者端末１８には不特定多数の端末が存在するが、ここでは概念的にそれぞれ１つの端末として表されている。サーバ１４には、電子ファイル受信部２０および時刻認証取得部２２、個人認証部２４、電子ファイル認証部２６、会員情報管理部２８、電子ファイル記憶部３０、公開分類情報管理部３２、コンテンツ表示部３４、閲覧情報管理部３６、課金・ポイント管理部３８、契約書発行部４０が備わる。
【００１９】
電子ファイル受信部２０は、投稿者端末１２から電子ファイルの形式で送信されたコンテンツの受信処理に関するモジュールである。
【００２０】
個人認証部２４は、本システム１０の利用に伴う会員登録処理と、投稿者および閲覧者の個人認証処理に関するモジュールである。本システム１０の利用に際しては会員登録が必要であり、投稿者および閲覧者は本システム１０の管理者が用意する会則に同意した上で会員登録を行う。なお、投稿および閲覧については試用期間を設け、未登録の状態でも一定の回数だけ投稿および閲覧を行うことができるように構成することもできる。会員登録に必要な個人情報は、この種のサービスにおいて通常要求される情報と同程度で十分である。これらの情報は個人情報の保護に関する法律の規程に則って厳密に管理される。会員登録された投稿者および閲覧者にはＩＤおよびＰＷが割り当てられる。本システム１０を利用する際には各会員に割り当てられたＩＤおよびＰＷの入力が要求され、会員の個人認証を行った後に利用が可能になる。個人認証に関する情報は会員情報管理部２８に保存される。
【００２１】
電子ファイル認証部２６は、電子ファイル受信部２０が受信した電子ファイルに対して時刻認証情報（タイムスタンプ）と個人認証情報の付加処理に関するモジュールである。時刻認証情報は時刻認証取得部２２を通じて時刻認証局１６からタイムスタンプを取得する。個人認証情報は会員情報管理部２８から取得する。タイムスタンプを取得することができる電子ファイルのファイル形式に制限がある場合があるため、予め投稿可能なファイル形式を投稿者に告知しておくか、電子ファイル受信部２０もしくは電子ファイル認証部２６においてファイル形式が自動的に変換されるように構成することもできる。
【００２２】
会員情報管理部２８は、会員登録した投稿者および閲覧者の情報管理に関するモジュールである。ここでは会員登録時に入力した個人情報のほかに、コンテンツの投稿に関する情報、コンテンツの閲覧に関する情報、コンテンツの閲覧または利用により投稿者が獲得したポイント情報、コンテンツの投稿による投稿者への課金情報、コンテンツの閲覧または利用による閲覧者への課金情報等が保存される。
【００２３】
電子ファイル記憶部３０は、時刻認証情報および個人認証情報を取得した電子ファイルの保存に関するモジュールである。
【００２４】
公開分類表示記憶部３２は、電子ファイル記憶部３０に保存されている電子ファイルの公開分類表示の管理に関するモジュールである。投稿されたコンテンツには原則として投稿者の著作権が存在することから、本システム１０ではコンテンツを含む電子ファイルの取り扱いついては投稿者の意思に委ねられている。本システム１０では著作権の管理レベルについて投稿者が自由に設定することができる。例えば、コンテンツの自由利用可能、利用許諾可能、閲覧のみ可能（利用は不可）、非公開の４つのパターンを用意しておき、利用者が自由に選択できるようにしておく。利用者が自由利用可能を設定したコンテンツについては、閲覧者は対価を支払うことなく自由に利用することができる。利用許諾可能に設定されたコンテンツについては、閲覧者は投稿者の許諾を得た場合にのみコンテンツを利用することができる。閲覧のみ可能に設定されたコンテンツについては、閲覧のみが可能であり、その他の利用は一切禁止される。非公開に設定されたコンテンツについては一切公開されず、存在自体が秘匿される。
【００２５】
コンテンツ表示部３４は、閲覧用のウェブブラウザにコンテンツを表示する機能に関するモジュールである。コンテンツの表示は公開分類表示記憶部３２で設定された著作権の管理レベルに基づく。例えば投稿者が５つのコンテンツを投稿し、そのうちの２つのコンテンツについて非公開を選択した場合、閲覧用のウェブブラウザには残りの３つのコンテンツのみが表示される。
【００２６】
閲覧情報管理部３６は、コンテンツ閲覧情報の処理に関するモジュールである。コンテンツ閲覧情報は、誰がどのコンテンツを閲覧したのかといった情報や、閲覧した回数や時間帯、頻度等のデータの集計処理を行う。コンテンツ閲覧情報は会員情報管理部２８に保存される。
【００２７】
課金・ポイント処理部３８は、コンテンツの投稿および閲覧、利用に対する課金処理およびポイント付与処理を行う機能に関するモジュールである。本システム１０ではコンテンツの投稿者および閲覧者に対して一定の条件のもとで料金が課される。料金の支払いは、プリペイドやポスペイド、デポジット、キャリア決済などを用いることができる。なお、本システム１０では、コンテンツを表示するウェブサイトのブラウザ画面に広告を掲載することにより、広告主に対して課金を行い、投稿者および閲覧者には無料もしくは低廉な料金でコンテンツ投稿および閲覧サービスを提供するようなビジネスモデルを構築することもできる。コンテンツの投稿者に対しては、投稿したコンテンツの閲覧または利用が行われたときにポイントが付与される。これらのポイント情報および課金情報は会員情報管理部２８に保存される。投稿者が得たポイントは投稿時の課金に充当することができる。
【００２８】
契約書発行部４０は、コンテンツを利用する閲覧者に対してコンテンツの利用許諾に関する契約書を発行する機能に関するモジュールである。契約書はコンテンツの投稿者と閲覧者との間における著作権の取り扱いについて、両者の権利や義務関係を取り決めたものである。投稿者と閲覧者との間で著作権利用許諾契約を交わすことにより、閲覧者は契約に定められた条件下および範囲内においてコンテンツを利用することができる。コンテンツの利用とは、コンテンツの複製、配布、インターネットを通じた公衆送信等、著作権法の規定に準じたものである。
【００２９】
〔コンテンツ投稿処理〕
次に、コンテンツの投稿および閲覧システムにおけるコンテンツの投稿処理の手順について、図３を参照して説明する。図３はコンテンツの投稿および閲覧システムにおけるコンテンツ投稿時の情報処理を示すフローチャートである。以下、この情報処理について、各モジュールの動作に基づいて説明する。以下の動作において、投稿者は本システム１０が用意するウェブサイトを通じてコンテンツの投稿に関する操作を行い、サーバ１４は投稿者の操作に応答する形で処理を行う。
【００３０】
最初に、個人認証部２４は、投稿者の個人認証を行う（Ｓ１：個人認証処理）。投稿者が本システム１０の利用に伴う会員登録をしていない場合には、投稿者に必要情報の入力を促し、会員登録を行う。登録済みの投稿者の場合は、会員登録時に発行されたＩＤとＰＷに基づいて個人認証を行う。
【００３１】
電子ファイル受信部２０は、投稿者端末１２から送信される電子ファイルを受信する（Ｓ２：電子ファイル受信処理）。本システム１０ではコンテンツの投稿は指定のファイル形式の電子ファイルの送受信により行い、投稿者はウェブサイト上でのドラッグ＆ドロップ等の操作を通じて電子ファイルを送信することができる。
【００３２】
電子ファイル認証部２６は、電子ファイル受信部２０が受信した電子ファイルに対して時刻認証情報と個人認証情報を付加する。時刻認証情報については、時刻認証取得部２２を通じて、時刻認証局１６からタイムスタンプを取得する（Ｓ３：時刻認証情報付加処理）。個人認証情報については、会員情報管理処理部２８から取得する（Ｓ４：個人認証情報付加処理）。
【００３３】
電子ファイル記憶部３０は、時刻認証情報および個人認証情報が付加された電子ファイルを保存する（Ｓ５：認証済み電子ファイル保存処理）。
【００３４】
公開分類情報管理部３２は、認証済み電子ファイルについて、投稿者が選択した利用形態に基づいて分類処理を行う（Ｓ６：電子ファイル公開分類処理）。本システム１０では、認証済み電子ファイルの取り扱いについては投稿者の選択に委ねられる。投稿者はウェブサイト上で自身が投稿したコンテンツ（この時点では認証済み電子ファイル）を随時閲覧することができ、さらにはコンテンツの利用形態について自由に管理することができる。
【００３５】
コンテンツ表示部３４は、公開分類情報管理部３２において、自由利用可能、利用許諾可能、閲覧のみ可能が選択されたコンテンツについて、ウェブサイトでの閲覧が可能な状態で公開する（Ｓ７：コンテンツ公開処理）。
【００３６】
〔コンテンツ閲覧処理〕
次に、コンテンツの投稿および閲覧システムにおけるコンテンツ閲覧処理について、図４を参照して説明する。図４はコンテンツの投稿および閲覧システムにおけるコンテンツ閲覧時の情報処理を示すフローチャートである。以下、この情報処理について、各モジュールの動作に基づいて説明する。以下の動作において、閲覧者は本システム１０が用意するウェブサイトを通じてコンテンツの閲覧に関する操作を行い、サーバ１４は閲覧者の操作に応答する形で処理を行う。
【００３７】
本システム１０を利用する閲覧者は会員もしくは非会員の何れかの立場でコンテンツを閲覧することができる。閲覧者が会員の場合、個人認証部２４は閲覧者の個人認証を行う（Ｓ１１：個人認証処理）。閲覧者が本システム１０の利用に伴う会員登録をしていない場合には、閲覧者に必要情報の入力を促し、会員登録を行う。登録済みの閲覧者の場合は、会員登録時に発行されたＩＤとＰＷに基づいて個人認証を行う。
【００３８】
非会員の場合、コンテンツの閲覧には一定の制限が課せられ、利用については全てが制限される（Ｓ１２：ゲスト処理）。なお、非会員の立場でコンテンツを閲覧中に全てのコンテンツを閲覧したくなった場合やコンテンツの利用を希望する場合は随時会員登録を行うことも可能である。
【００３９】
コンテンツ表示部３４は、閲覧者による検索操作に基づいて、公開可能なコンテンツを対象として検索を行う（Ｓ１３：コンテンツ検索処理）。さらに検索の結果、絞り込まれたコンテンツをウェブサイト上に閲覧可能な状態で表示する（Ｓ１４：コンテンツ表示処理）。電子ファイル記憶部３０は、認証済み電子ファイルを保存し、検索可能な状態で記憶する検索データベースを構成する。各コンテンツには、楽曲、映像、画像、文字等の形式、投稿者名、投稿時刻、分野、内容等の情報がタグ付けされており、閲覧者は任意のキーワードによって所望のコンテンツを検索することができる。
【００４０】
閲覧情報管理部３６は、コンテンツ毎に表示された回数、閲覧者、閲覧時刻等の閲覧に関する情報の記録処理を行う（Ｓ１５：コンテンツ閲覧情報記録処理）。これらの情報は閲覧されたコンテンツを投稿した投稿者の個人情報とともに会員情報記憶部２８に保存される。
【００４１】
課金・ポイント処理部３８は、コンテンツの閲覧者に対して課金処理を行う（Ｓ１６：課金処理）。コンテンツの閲覧者には閲覧回数に応じて料金が課される。
【００４２】
契約書発行部４０は、コンテンツの利用を希望する閲覧者に対して、コンテンツの利用許諾に関する契約書を発行する（Ｓ１７：契約書発行処理）。利用許諾可能なコンテンツの場合、閲覧者は許諾を申し込むことができる。コンテンツの利用に関する許諾契約書は、閲覧者端末１８でダウンロードすることが可能であり、署名捺印をした契約書を所定の宛先に郵送する。なお、ウェブサイト上に記載された著作権利用許諾に関する文書に同意することで簡易的な契約を締結することも可能である。
【００４３】
課金・ポイント処理部３８は、コンテンツの利用許諾契約が締結されたら、当該コンテンツの投稿者に対してポイントを付与する（Ｓ１８：ポイント付与処理）。
【００４４】
〔ブラウザ画面〕
次に、コンテンツの投稿および閲覧システムにおけるウェブサイトのブラウザ画面の表示例について、図５乃至図７を参照して説明する。図５は、投稿者端末１２のブラウザ画面（コンテンツ投稿時）の一例を示す模式図である。ブラウザ画面５０には、電子ファイルをドラッグ＆ドロップするためのアップロード領域５２、現在の時刻を表示する時刻表示領域５４、コンテンツの種類（分野）を特定し、電子ファイルにタグ付けするためのコンテンツ分野特定領域５６、コンテンツの著作権管理のレベルを設定し、電子ファイルにダグ付けするための公開分類情報設定領域５８、コンテンツの特徴やセールスポイントなど投稿者が自由に記載できるコメント領域６０、投稿を実行するための投稿ボタン６２、投稿を取りやめるためのリセットボタン６４が表示される。ブラウザ画面５０の左側には、投稿者の名前（ハンドルネーム等も可能）を表示する領域６６、投稿者に関する個人情報の閲覧・編集が可能な会員情報ボタン６８、投稿画面に戻るための投稿ページボタン７０、投稿が完了した電子ファイルを確認するための投稿済一覧ボタン７２が表示される。
【００４５】
図６は、投稿者端末１２のブラウザ画面（トップページ画面）の一例を示す模式図である。ブラウザ画面８０には現時点で投稿済みの電子ファイルのアイコン８２が表示される。投稿済みの電子ファイルのうちタイムスタンプが付与され、時刻認証が完了したものにはタイムスタンプのアニメーション８４が表示される。アイコン８２の下にはダイムスタンプが付与された日時が表示される（図６では簡易的に日付のみが表示されている）。電子ファイルのアイコン８２をクリックすると、コンテンツの内容、種類、公開分類情報、コメントを確認することができる。またコンテンツの内容以外の情報を編集することも可能である。コンテンツ投稿時のブラウザ画面５０と電子ファイルの確認および編集時のブラウザ画面８０の切り替えは、ブラウザ画面の左側に表示される投稿ページボタン７０、投稿済一覧ボタン７２の何れかをクリックすることで切り替えることができる。ブラウザ画面にはアフィリエイト等の広告を表示する領域８４が設けられており、広告収入を活用することにより投稿者に対する課金負担を軽減させることも可能である。
【００４６】
図７は、閲覧者端末１８のブラウザ画面の一例を示す模式図である。ブラウザ画面９０には投稿者が投稿した電子ファイルのうち公開可能な電子ファイルのアイコン９２が表示される。各電子ファイルのアイコン９２には時刻認証済みを証するタイムスタンプのアニメーション９４が表示される。アイコン９２の上にはコンテンツの種類が表示され、アイコン９２の下にはダイムスタンプが付与された日時が表示される（図７では簡易的に日付のみが表示されている）。ブラウザ画面９０の上部には検索欄９６が設けられてる。検索欄には、コンテンツの種類、投稿者名、投稿日（タイムスタンプ取得時）、コメント欄のキーワード等の条件を入力することができ、希望するコンテンツを絞り込むことができる。ブラウザ画面９０の左側には一覧表示コンテンツの種類を絞り込むためのボタンが設けられている。アイコン９２をクリックするとブラウザ画面９０にコンテンツの内容が表示されるブラウザ画面にはコンテンツの内容のほかにコンテンツの利用を希望する場合にクリックする利用ボタンが表示される。また、アフィリエイト等の広告を表示することの可能であり、広告収入を活用することにより閲覧者に対する課金負担を軽減させることもできる。
【符号の説明】
【００４７】
１０  コンテンツの投稿および閲覧システム
１２  投稿者端末
１４  サーバ
１６  時刻認証局
１８  閲覧者端末
２０  電子ファイル受信部
２２  時刻認証取得部
２４  個人認証部
２６  電子ファイル認証部
２８  会員情報管理部
３０  電子ファイル記憶部
３２  公開分類情報管理部
３４  コンテンツ表示部
３６  閲覧情報管理部
３８  課金・ポイント管理部
４０  契約書発行部
【図１】
2016118980.tif 000003
【図２】
2016118980.tif 000004
【図３】
2016118980.tif 000005
【図４】
2016118980.tif 000006
【図５】
2016118980.tif 000007
【図６】
2016118980.tif 000008
【図７】
2016118980.tif 000009